(57)【要約】【課題】使い易い測距装置を提供する。【解決手段】所定時間内に連続して対象物までの距離を測定し、その距離を距離表示部６に表示させる測距装置１において、所定時間内に対象物までの距離を距離算出部１０で所定回数算出し、同じ算出値が出たときに、その算出値を距離保持部１２に保持し、距離表示部６に対象物までの距離として表示する。【選択図】図１
2007278743.tif 000002
【特許請求の範囲】
【請求項１】
連続して対象物までの距離を複数回測定し、その距離を表示手段に表示させる測距装置において、
前記対象物までの距離の算出を繰り返し複数の測距値を算出する算出手段と、
前記算出手段によって算出された複数の測距値のうち同じ測定値が所定回数算出されたときに、その測距値を前記対象物までの距離として前記表示手段に表示させる制御手段と
を備えていることを特徴とする測距装置。
【請求項２】
前記所定回数を設定する回数設定手段を備えていることを特徴とする請求項１記載の測距装置。
【請求項３】
前記算出手段によって前記同じ測距値が連続して算出されたときだけ、その算出値を前記制御手段が前記表示手段に表示させることを特徴とする請求項１又は２記載の測距装置。
【発明の詳細な説明】
【技術分野】
【０００１】
この発明は測距装置に関する。
【背景技術】
【０００２】
従来、測距装置として、対象物にレーザ光を出射するレーザ発光部と、対象物からの反射光を受光し、電気信号に変換する受光部と、受光部の出力に基づいて対象物までの距離を演算する距離演算部と、距離演算部で算出された距離を対象物までの距離として表示する距離表示部とを備えるものが知られている（第６０２３３２２号米国特許公報参照）。
【０００３】
この測距装置では、対象物に所定時間内に連続してレーザ発光部からレーザ光が出射され、受光部の出力に基づいて得られた対象物までの距離が連続的に距離表示部に表示される。
【特許文献１】第６０２３３２２号米国特許公報
【発明の開示】
【発明が解決しようとする課題】
【０００４】
対象物の種類（色、形等）や測定場所の自然環境（天候等）等の変化によって、対象物で反射されたレーザ光の強度が変化することがある。
【０００５】
その結果、実際には対象物までの距離が変化していない場合でも距離表示部に表示される距離を表す数値が目まぐるしく変化するため、対象物までの真の距離が判らず、測距装置として使いにくかった。
【０００６】
この発明はこのような事情に鑑みてなされたもので、その課題は使い易い測距装置を提供することである。
【課題を解決するための手段】
【０００７】
上記課題を解決するためこの発明は、連続して対象物までの距離を複数回測定し、その距離を表示手段に表示させる測距装置において、前記対象物までの距離の算出を繰り返し複数の測距値を算出する算出手段と、前記算出手段によって算出された複数の測距値のうち同じ測定値が所定回数算出されたときに、その測距値を前記対象物までの距離として前記表示手段に表示させる制御手段とを備えていることを特徴とする。
【発明の効果】
【０００８】
この発明によれば、使い易い測距装置を提供することができる。
【発明を実施するための最良の形態】
【０００９】
以下、この発明の実施の形態を図面に基づいて説明する。
【００１０】
図１はこの発明の一実施形態に係るレーザ測距装置を示す概念図である。
【００１１】
レーザ測距装置（測距装置）１は、レーザ発光部３と受光部４と制御部（制御手段）５と距離表示部（表示手段）６とを備えている。レーザ発光部３、受光部４及び制御部５は筐体２に設けられている。
【００１２】
筐体２の上面には電源ボタン７と選択ボタン（回数設定手段）８とが設けられている。電源ボタン７は電源のオン及び測距開始のためのボタンである。電源ボタン７の操作をしない所定時間を予め定め、これを経過したときに電源はオフする。
【００１３】
この実施形態では複数回の距離算出において同じ算出値（測定値）が連続して算出されたときに、その算出値を対象物までの距離として距離表示部６に表示するが、選択ボタン８は、その距離表示の条件として、同じ算出値が連続して算出される回数（距離判定回数）を設定するボタンである。ただし、予め定めた回数に設定しておいてもよい。
【００１４】
距離判定回数は対象物までの距離、対象物の例えば種類（色、形等）、測定場所の自然環境（天気等）等に応じて切り換えられる。電源ボタン７と選択ボタン８とはそれぞれ制御部５に電気的に接続されている。
【００１５】
レーザ発光部３は対象物（図示せず）にレーザ光を出射する。
【００１６】
受光部４は対象物からの反射光を受光し、電気信号に変換する。
【００１７】
制御部５はレーザ発光部３や距離表示部６の動作を制御する。制御部５は距離演算部９を有し、距離演算部９は距離算出部１０と距離判定部１１と距離保持部１２とからなる。
【００１８】
距離算出部１０は距離表示部６に電気的に接続されている。距離算出部１０は所定時間内に対象物までの距離の算出を繰り返し行う。
【００１９】
距離判定部１１は距離算出部１０によって算出された距離の算出値が連続して所定回数（距離判定回数）一致したとき、その算出値を対象物までの距離と判定する。
【００２０】
距離保持部１２は距離判定部１１で対象物までの距離と判定された算出値を保持する。
【００２１】
距離表示部６には距離保持部１２に保持された、対象物までの距離と判定された算出値が表示される。また、距離表示部６には前記算出値とともに複数回の距離算出によって得られた複数の算出値が距離判定部１１、距離保持部１２を経ないで連続的に表示される（もちろん、算出値だけの表示でもよい）。
【００２２】
次に、測距装置１を用いて対象物ＯＢまでの距離を測定する方法を図２〜５に基づいて説明する。
【００２３】
図２はこの発明に係る測距装置の操作方法及び動作を説明するためのフローチャート、図３〜５は測距装置と対象物との関係を説明する図である。なお、図２において、Ｓ１〜Ｓ１５は処理の各ステップを示す。
【００２４】
まず、図３に示すように、測定者Ｍがファインダ１ａを通して対象物ＯＢを見ながら電源ボタン７を押す（Ｓ１）。
【００２５】
電源ボタン７が１度押されると、測距装置１が起動し、初期化される（Ｓ２）。
【００２６】
次に、反射光Ｂ１の強度の変化又は測距時の天候等の測距環境に合わせて選択ボタン８を操作し、距離判定回数を切り換える（Ｓ３）。
【００２７】
例えば測定者Ｍが動いたり、対象物ＯＢが動いたりすることによる対象物ＯＢまでの距離の変化や対象物ＯＢの種類や測定場所の自然環境の変化がない場合（図３参照）、反射光Ｂ１の強度が変化しないため、距離判定回数を多くする。また、測定者Ｍが動いたり、対象物ＯＢが動いたりして対象物ＯＢまでの距離がＬ１，Ｌ２，Ｌ３（Ｌ１＜Ｌ２＜Ｌ３）と変化する場合（図４参照）、対象物の種類が変化する場合又は自然環境が矢印Ｔ１，Ｔ２，Ｔ３，Ｔ４で示すように変化する場合（図５参照）、反射光Ｂ１の強度が変化するため、距離判定回数を少なくする。距離判定回数を少なくすることによって、同じ算出値が得やすくなり、測距値を迅速に表示させる場合に有効である。また、距離判定回数を多くすれば、測距の精度を高めることができるようになる。なお、図５において、矢印Ｔ１は太陽の全部が現れている状態から太陽の一部が雲で覆われた状態への変化、矢印Ｔ２は太陽の一部が雲で覆われた状態から太陽の全部が雲で覆われた状態への変化、矢印Ｔ３は太陽の一部が雲で覆われた状態から太陽の全部が現れている状態への変化、矢印Ｔ４は太陽の全部が雲で覆われた状態から太陽の一部が雲で覆われた状態への変化をそれぞれ示している。
【００２８】
その後、電源ボタン７が押されたか否かが判定される（Ｓ４）。
【００２９】
電源ボタン７が押されたとき、連続測距が開始される（Ｓ５）。
【００３０】
ステップ４において、電源ボタン７が所定時間内に押されないとき、測距装置１への通電が停止される（Ｓ１５）。
【００３１】
連続測距が開始されると、レーザ発光部３からレーザ光Ａが射出される（Ｓ６）。
【００３２】
レーザ光Ａは対象物ＯＢで反射され、反射光Ｂ１は受光部４で受光される（Ｓ７）。
【００３３】
受光部４で受光された反射光Ｂ１は電気信号に変換され、制御部５の距離演算部９に送られ、距離算出部１０で対象物ＯＢまでの距離が算出される（Ｓ８）。
【００３４】
距離算出部１０で算出された対象物ＯＢまでの距離は距離表示部６に表示される（Ｓ９）。
【００３５】
ステップＳ６からＳ９までの処理が繰り返され、距離算出部１０で算出された算出値が距離表示部６に連続的に表示される。距離算出部１０で算出された算出値が連続して所定回数同じであるか否かが距離判定部１１で判定される（Ｓ１０）。
【００３６】
距離算出部１０によって所定回数同じ算出値が算出されたとき、その算出値が距離保持部１２に保持されるとともに、レーザ発光部３、受光部４、距離算出部１０、距離判定部１１の動作が停止される（Ｓ１１）。所定回数同じ算出値が算出されたことで対象物ＯＢが静止しているとみなす。
【００３７】
距離保持部１２に保持された算出値は対象物ＯＢまでの距離として所定時間だけ距離表示部６に表示される（Ｓ１２）。
【００３８】
ステップ１０において、所定回数同じ算出値が算出されなかったとき、測距開始から所定の時間が経過したか否かが判定される（Ｓ１４）。
【００３９】
測距開始から所定の時間が経過したとき、測距装置１への通電が停止される（Ｓ１５）。
【００４０】
距離表示部６に距離を表示してから所定時間内に電源スイッチ７が押されたか否かが判断される（Ｓ１３）。
【００４１】
所定時間内に電源スイッチ７が押されたとき、ステップ２に戻って初期化される（Ｓ２）。
【００４２】
所定時間内に電源スイッチ７が押されなかったとき、測距装置１への通電が停止される（Ｓ１５）。
【００４３】
この実施形態によれば、対象物ＯＢの種類、自然環境等が変化したことにより対象物ＯＢが静止しているにもかかわらず異なる測距値が表示されることがなく、対象物ＯＢまでの固定した距離が所定時間だけ距離表示部６に表示され続けるので、測距作業が容易になる。
【００４４】
なお、上述の実施形態では、選択ボタン８を採用した。選択ボタン８を採用しなくても、測定者Ｍの動き等に影響されることなく測距することができるが、選択ボタン８を採用すれば迅速に測距することができる。
【００４５】
また、距離算出部１０の出力と距離保持部１２の出力とを図示しない出力切換ボタンによって切り換えるようにしてもよい。これは、実際に移動している対象物ＯＢまでの距離を測距する場合と、実際には静止していると思われる対象物ＯＢまでの測距を行なう場合とを切り換えるものである。
【００４６】
更に、上述の実施形態では同じ算出値が連続したときにその算出値を対象物ＯＢまでの距離として距離表示部６に表示したが、同じ算出値が連続しなくとも、最も多く算出された算出値を対象物ＯＢまでの距離として距離表示部６に表示してもよい。ただ、同じ算出値が連続したときにその算出値を対象物ＯＢまでの距離とする方が、迅速に測距することができる。
【図面の簡単な説明】
【００４７】
【図１】図１はこの発明の一実施形態に係る測距装置を示す概念図である。
【図２】図２はこの発明に係る測距装置の操作方法及び動作を説明するためのフローチャートである。
【図３】図３は測距装置と対象物との関係を説明する図である。
【図４】図４は測距装置と対象物との関係を説明する図である。
【図５】図５は測距装置と対象物との関係を説明する図である。
【符号の説明】
【００４８】
１：測距装置、２：筐体、３：レーザ発光部、４：受光部、５：制御部（制御手段）、６：距離表示部（表示手段）、７：電源ボタン、８：選択ボタン（回数設定手段）、９：距離演算部、１０：距離算出部（算出手段）、１１：距離判定部、１２：距離保持部。
【図１】
2007278743.tif 000003
【図２】
2007278743.tif 000004
【図３】
2007278743.tif 000005
【図４】
2007278743.tif 000006
【図５】
2007278743.tif 000007